(57)【要約】【課題】リザーブタンクをラジエータコアサポートに簡単に取り付けることができるリザーブタンクの取付構造を提供する。【解決手段】リザーブタンク１２をラジエータコアサポート１１，５１に取り付けるラジエータ用リザーブタンクの取付構造において、リザーブタンク１２の先端に取付用突起部１９を設け、取付用突起部１９に係合する係合孔１７をラジエータコアサポート１１、５１に設ける一方、リザーブタンク１２内部に連通する接続孔２２をリザーブタンク１２の端部に設け、接続孔２２に係合する接続口２７を、ラジエータコアサポート１１，５１に支持されたラジエータ１０，５０側に設け、リザーブタンク１２の取付用突起部１９をラジエータコアサポート１１、５１の係合孔１７に係合させると同時に、接続孔２２をラジエータ１０，５０側の接続口２７に係合させる。【選択図】      図１
2004278482.tif 000002
【特許請求の範囲】
【請求項１】
リザーブタンク（１２）をラジエータコアサポート（１１，５１）に取り付けるラジエータ用リザーブタンクの取付構造において、
前記リザーブタンク（１２）のラジエータコア側の前面に取付用突起部（１９）を設け、該取付用突起部（１９）に係合する係合孔（１７）を前記ラジエータコアサポート（１１、５１）に設ける一方、リザーブタンク（１２）内部に連通する接続孔（２２）をリザーブタンク（１２）の前面に設け、この接続孔（２２）に係合する接続口（２７）を、前記ラジエータコアサポート（１１，５１）に支持されたラジエータ（１０，５０）側に設け、
リザーブタンク（１２）の取付用突起部（１９）をラジエータコアサポート（１１、５１）の係合孔（１７）に係合させると同時に、前記接続孔（２２）をラジエータ（１０，５０）側の接続口（２７）に係合させることにより、リザーブタンク（１２）をラジエータコアサポート（１１，５１）に取り付けたことを特徴とするラジエータ用リザーブタンクの取付構造。
【請求項２】
前記リザーブタンク（１２）の内部に、前記接続孔（２２）に連通するインナーホース（２３）を設けたことを特徴とする請求項１に記載のラジエータ用リザーブタンクの取付構造。
【請求項３】
前記リザーブタンク（１２）を光透過率の高い合成樹脂から形成したことを特徴とする請求項１又は２に記載のラジエータ用リザーブタンクの取付構造。
【発明の詳細な説明】
【０００１】
【発明の属する技術分野】
本発明は、ラジエータ用リザーブタンクの取付構造に関する。
【０００２】
【従来の技術】
従来から、エンジンで温められた冷却液をラジエータにて冷却し、再びエンジン内のウォータージャケットに戻している。このラジエータは、上部と下部に各々設けられたアッパータンク及びロアタンクと、これらのタンクの間に設けられたラジエータコアとから構成されている。
【０００３】
また、前記冷却液の温度が上昇すると冷却液が膨張して圧力が上昇するため、この膨張した冷却液をラジエータから排出して収容するリザーブタンクが設けられている（例えば、特許文献１参照）。
【０００４】
【特許文献１】
特開２００１−２１３３５５公報
【０００５】
【発明が解決しようとする課題】
しかしながら、前記リザーブタンクは、ラジエータを支持するラジエータコアサポートに固定されるが、この取付作業が面倒であった。一方、リザーブタンクをラジエータコアサポートに一体に形成すると、ラジエータコアサポートの成形用金型の構造が複雑になった。さらに、冷却液の水位調整時にラジエータ側に空気を吸い込むおそれがあった。
【０００６】
そこで、本発明は、リザーブタンクをラジエータコアサポートに簡単に取り付けることができ、冷却液の水位調整時にラジエータ側に空気を吸い込むおそれのないリザーブタンクの取付構造を提供することを目的とする。
【０００７】
【課題を解決するための手段】
前記請求項１に記載のラジエータ用リザーブタンクの取付構造は、ラジエータに連通されるリザーブタンクをラジエータコアサポートに取り付けるラジエータ用リザーブタンクの取付構造において、前記リザーブタンクの先端に取付用突起部を設け、該取付用突起部に係合する係合孔を前記ラジエータコアサポートに設ける一方、リザーブタンク内部に連通する接続孔をリザーブタンクの端部に設け、この接続孔に係合する接続口をラジエータ側に設け、リザーブタンクの取付用突起部をラジエータコアサポートの係合孔に係合させると同時に、前記接続孔をラジエータ側の接続口に係合させることにより、リザーブタンクをラジエータコアサポートに取り付けている。
【０００８】
前記請求項２に記載のラジエータ用リザーブタンクの取付構造は、前記リザーブタンクの内部に、前記接続孔に連通するインナーホースを設けることを特徴としている。
【０００９】
前記請求項３に記載のラジエータ用リザーブタンクの取付構造は、前記リザーブタンクを光透過率の高い合成樹脂から形成したことを特徴としている。
【００１０】
【発明の効果】
前記請求項１に記載のラジエータ用リザーブタンクの取付構造によれば、リザーブタンクの取付作業と接続孔の接続作業とを同時に行うことができるため、非常に作業効率が高くなる。
【００１１】
前記請求項２に記載のラジエータ用リザーブタンクの取付構造によれば、リザーブタンクの内部にはインナーホースが設けられているため、水位調整時にラジエータ側にエアーを吸い込むことがなくなる。
【００１２】
前記請求項３に記載のラジエータ用リザーブタンクの取付構造によれば、リザーブタンクの材質は、光透過性の高い合成樹脂であるため、リザーブタンク内部の水位確認を目視で確実かつ簡単に行うことができる。
【００１３】
【発明の実施の形態】
以下、本発明の一実施形態を図面に基づいて説明する。
【００１４】
［第１の実施形態］
図１は、本発明の第１実施形態によるリザーブタンクの取付構造を示す分解斜視図であり、図２は、図１のＡ−Ａ線による断面図、及び図３は、図１のＢ−Ｂ線による断面図である。
【００１５】
図外のエンジンルームの車両前端部には、ラジエータ１０がラジエータコアサポート１１に支持されており、これらのラジエータ１０及びラジエータコアサポート１１の後方側には、リザーブタンク１２がラジエータ用ジョイント部材１３を介して配設されている。
【００１６】
前記ラジエータ１０は、上部側に設けられたアッパータンク１４及び該アッパータンク１４の下部に設けられたラジエータコア１５を備えている。このアッパータンク１４には、エンジンから高温の冷却液が送給され、ラジエータコア１５を介して下方に流れながら冷却されるように構成されている。また、アッパータンク１４の後面には車両後方に向けて筒状の連通口１６が形成されている。
【００１７】
さらに、前記ラジエータコアサポート１１は、上端部に矩形状の係合孔１７が設けられており、前面には前記ラジエータ１０が図示しない適宜手段により支持されている。また、ラジエータコアサポート１１の前記連通口１６に対向する部位には、連通口１６が挿通する挿通孔１８が形成されている。
【００１８】
一方、リザーブタンク１２は光透過率の高い合成樹脂から形成されており、図４に示すように、取付用突起部１９が突出して形成されている。この取付用突起部１９は、リザーブタンク本体２０に一体に形成されており、該リザーブタンク本体２０の車両前面の上部から前方に向けて延設されている。また、取付用突起部１９の前端部の両側には、車幅方向に突出する断面略三角形状の爪部２１が形成されている。そして、リザーブタンク本体２０の前面における取付用突起部１９よりも車幅方向内側には、接続孔２２が穿設されており、この接続孔２２はリザーブタンク本体２０の内部に配設されたインナーホース２３に連通して形成されており、インナーホース２３はリザーブタンク本体２０の底面２４近傍に至るまで延びている。なお、リザーブタンク本体２０の上面２５には、注水口２５ａが突出され、この注水口２５ａの側面にはリザーブタンク本体２０の内部圧力を調整するエアホース２６が接続されている。接続孔２２は、図６に示すように、リザーブタンク本体２０の前面から筒部２２ａが奥まって形成されており、その底部２２ｂに開口が設けられている。インナーホース２３には、この底部２２ｂに前面から係合するツバ部２３ａが設けられている。
【００１９】
そして、ラジエータ１０とリザーブタンク１２とはラジエータ用ジョイント部材１３を介して接続されている。このラジエータ用ジョイント部材１３には、図５に示すように、三股状に円筒部が三方に突出したもので、上方へ突出した円筒部の側面に接続口であるオーバーフローパイプ２７が車両後方に向けて延びている。オーバーフローパイプ２７は、円筒状に形成され、図６に示すように、その先端部の外周側に２つの溝部２８，２８が形成されており、該溝部２８，２８にはリング状のゴム製Ｏリング２９，２９が嵌められている。また、図２に示すように、ラジエータ用ジョイント部材１３の上方へ突出した円筒部の上部には、スプリング３０によって下方に付勢されたプレッシャーバルブ３１が配設されており、この上部はラジエータキャップ３２によって塞がれている。さらに、ラジエータジョイント部材１３のジョイント部材本体３３には、連通孔３４が挿通して形成されており、車両前方側へ突出した円筒部の端部には、ラジエータの連通口１６に係合する接続口３５が形成されている。この接続口３５の外周側にもＯ−リング３６が取り付けられている。
【００２０】
そして、前記ラジエータ１０の連通口１６とラジエータ用ジョイント部材１３との接続部は、クリップ部材３７によって把持されている。このクリップ部材３７は、図１及び図２に示すように、側面視略Ｃ字状に形成されて矩形状のスリット３８が穿設されており、このスリット３８には前記連通口１６のツバ部３９及び接続口３５のツバ部４０が挿入されて把持されている。ラジエータジョイント部材１３の車幅方向内側へ突出した円筒部の先端には、図示しないラジエータホースが接続される。
【００２１】
前述した第１実施形態によるリザーブタンク１２をラジエータコアサポート１１に取り付ける手順を説明する。
【００２２】
まず、図１に示すように、前記連通口１６をラジエータコアサポート１１の挿通孔１８内に挿入しながらラジエータ１０をラジエータコアサポート１１に図示せぬ手段により支持する。そして、ラジエータ用ジョイント部材１３の接続口３５を連通口１６に接続させてクリップ部材３７によって係止する。
【００２３】
次いで、リザーブタンク１２の取付用突起部１９をラジエータコアサポート１１の係合孔１７に挿入して爪部２１を係合孔１７の端部に係止させ、これと同時に、リザーブタンク１２の接続孔２２をラジエータ用ジョイント部材１３のオーバーフローパイプ２７に係合させる。これによって、リザーブタンク１２をラジエータコアサポート１１に支持する際に、インナーホース２３の先端部の接続孔２２の結合も同時に行うことができる。
【００２４】
また、リザーブタンク１２の内部には、リザーブタンク１２の底面２４近傍まで延びるインナーホース２３が設けられているため、水位調整時にラジエータ１０側にエアーを吸い込むことがなくなる。
【００２５】
さらに、リザーブタンク１２の材質は、光透過性の高い合成樹脂であるため、リザーブタンク１２内部の水位確認を目視で確実かつ簡単に行うことができる。
【００２６】
［第２の実施形態］
次いで、第２の実施形態について説明するが、第１の実施形態と同一部位は同一符号を付すると共にその説明を省略する。なお、第１の実施形態では、ラジエータ１０の後側にラジエータコアサポート１１を配置し、該ラジエータコアサポート１１の後側にリザーブタンク１２を固定した。これに対して、図７に示すように、第２の実施形態では、ラジエータコアサポート５１の後側にラジエータ５０を配置し、リザーブタンク１２をラジエータコアサポート５１及びラジエータ５０の後側に配設している。
【００２７】
図７は、第２の実施形態によるリザーブタンク１２の取付構造を示す分解斜視図である。
【００２８】
ラジエータコアサポート５１の上部には、矩形状の係合孔１７が設けられ、この係合孔１７の下部側に形成された凹部５２内にラジエータ５０が収容及び支持されている。また、図８に示すように、ラジエータ５０の上部に設けられたアッパータンク５４には連通部材４３が一体に形成されている。この連通部材４３は、前記ラジエータ用ジョイント部材１３と基本的に同一構造に構成されており、その上部にプレッシャーバルブ３１とスプリング３０を介してラジエータキャップ３２が取り付けられている。
【００２９】
本実施形態によるリザーブタンク１２を取り付ける手順を説明する。
【００３０】
まず、図７に示すように、予め連通部材４３をラジエータ５０のアッパータンク５４に一体に形成しておく。このラジエータ５０をラジエータコアサポート５１の後側に取り付けたのち、図９に示すようにリザーブタンク１２の取付用突起部１９をラジエータコアサポート５１の係合孔１７に挿入して係合させると同時に、リザーブタンク１２の接続孔２２を連通部材４３のオーバーフローパイプ２７に係合させる。これによって、リザーブタンク１２の取り付けと同時に、接続孔２２の結合も同時に行うことができる。
【００３１】
なお、本発明は前述した実施形態に限定されることなく、本発明の技術思想に基づいて種々の変更及び変形が可能である。
【図面の簡単な説明】
【図１】第１の実施形態によるリザーブタンクの取付構造を示す分解斜視図である。
【図２】図１のＡ−Ａ線による断面図である。
【図３】図１のＢ−Ｂ線による断面図である。
【図４】第１の実施形態によるリザーブタンクを示す斜視図である。
【図５】第１の実施形態によるラジエータ用ジョイント部材を示す斜視図である。
【図６】第１の実施形態におけるリザーブタンクとラジエータ用ジョイント部材との結合状態を示す断面図である。
【図７】第２の実施形態によるリザーブタンクの取付構造を示す斜視図である。
【図８】図７のＣ−Ｃ線による断面図である。
【図９】図７のＤ−Ｄ線による断面図である。
【符号の説明】
１０，５０…ラジエータ
１１，５１…ラジエータコアサポート
１２…リザーブタンク
１７…係合孔
１９…取付用突起部
２２…接続孔
２３…インナーホース
２７…オーバーフローパイプ（接続口）
【図１】
2004278482.tif 000003
【図２】
2004278482.tif 000004
【図３】
2004278482.tif 000005
【図４】
2004278482.tif 000006
【図５】
2004278482.tif 000007
【図６】
2004278482.tif 000008
【図７】
2004278482.tif 000009
【図８】
2004278482.tif 000010
【図９】
2004278482.tif 000011